【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
バレル、注射針、プランジャーおよび注射針鞘（但し、該注射針鞘は注射針が露出する後退位置と注射針が保護される伸張位置との間で可動性であって端部が開口しているものである）を有する安全シリンジ；および、該注射針鞘が伸張位置にあるとき該注射針鞘と嵌合し得るプラグ、を含んでなる、安全シリンジ封止システム。
【請求項２】
該注射針鞘が管状である、請求項１に記載のシステム。
【請求項３】
該管状注射針鞘が、伸張位置にあるときロックされて、後退位置へ戻れないように阻止される、請求項２に記載のシステム。
【請求項４】
該管状注射針鞘が、後退位置と伸張位置との間で長軸方向に摺動自在であり、かつ該安全シリンジのバレルの周りを回転させて該管状注射針鞘を伸張位置でロックさせ得る、請求項２に記載のシステム。
【請求項５】
該プラグが、該注射針鞘の外側円周部分と嵌合し得る少なくとも１つのレセプタクルを含む、請求項１に記載のシステム。
【請求項６】
該プラグが、少なくとも１つのフランジを有する円筒状部分を含み、該フランジが該円筒状部分から放射状に外方向に伸張して該注射針鞘の内側円周部分と嵌合するようになっている、請求項１に記載のシステム。
【請求項７】
バレル、注射針、プランジャーおよび注射針鞘（但し、該注射針鞘は注射針が露出する後退位置と注射針が保護される伸張位置との間で可動性であって端部が開口しているものである）を有する安全シリンジ；該注射針鞘が伸張位置にあるとき該注射針鞘と嵌合し得るプラグ；および、基体部と蓋部とがあり該基体部および蓋部はそれぞれ該安全シリンジを受容し得る中空の中心部分を有している医療用ピッグ、を含んでなる、安全シリンジ封止システム。
【請求項８】
該注射針鞘が管状である、請求項７に記載のシステム。
【請求項９】
該管状注射針鞘が、伸張位置にあるときロックされて、後退位置へ戻れないように阻止される、請求項８に記載のシステム。
【請求項１０】
該管状注射針鞘が、後退位置と伸張位置との間で長軸方向に摺動自在であり、かつ該安全シリンジのバレルの周りで回転させて該管状注射針鞘を伸張位置にロックさせ得る、請求項８に記載のシステム。
【請求項１１】
該プラグが、該注射針鞘の外側円周部分と嵌合する少なくとも１つのレセプタクルを含む、請求項７に記載のシステム。
【請求項１２】
該プラグが、少なくとも１つのフランジを有する円筒状部分を含み、該フランジが該円筒状部分から放射状に外方向に伸張して該注射針鞘の内側円周部分と嵌合するようになっている、請求項７に記載のシステム。
【請求項１３】
該医療用ピッグの基体部および蓋部が相互作用して、該安全シリンジを該医療用ピッグ内に封止する、請求項７に記載のシステム。
【請求項１４】
注射針鞘を、注射針が露出する後退位置から、注射針が保護される伸張位置（該注射針鞘の端部は開口している）へ摺動させ；該注射針鞘が伸張位置にあるときプラグを該注射針鞘と嵌合させること：を含んでなる、安全シリンジを封止する方法。
【請求項１５】
管形状を有する該注射針鞘を後退位置から伸張位置へ摺動させたのち、該注射針鞘が伸張位置にあるとき該注射針鞘をロックして後退位置へ戻れないように阻止することをさらに含んでなる、請求項１４に記載の方法。
【請求項１６】
注射針鞘を、注射針が露出する後退位置から、注射針が保護される伸張位置（該注射針鞘の端部は開口している）へ摺動させ；該注射針鞘が伸張位置にあるとき開口端部の付近で該注射針鞘の外側円周部分とプラグを嵌合させること：を含んでなる、安全シリンジを封止する方法。
【請求項１７】
管形状を有する該注射針鞘を後退位置から伸張位置へ摺動させたのち、該注射針鞘が伸張位置にあるとき該管状注射針鞘をロックして後退位置へ戻れないように阻止することをさらに含んでなる、請求項１６に記載の方法。
【請求項１８】
管状注射針鞘を、注射針が露出する後退位置から、注射針が保護される伸張位置（該注射針鞘の端部は開口している）へ摺動させ；該管状注射針鞘を伸張位置でロックし；そして円筒状部分およびそこから放射状に伸張している少なくとも１つのフランジを有するプラグを該注射針鞘の開口端部と伸長位置で嵌合させること：を含んでなる、安全シリンジを栓止する方法。
【請求項１９】
管状注射針鞘を、注射針が露出する後退位置から、注射針が保護される伸張位置（該注射針鞘の端部は開口している）へ摺動させ；該管状注射針鞘を伸張位置でロックし；そして少なくとも１つのＵ−形状レセプタクルを有するプラグを、伸張位置にある該注射針鞘の外側円周部分と嵌合させること：を含んでなる、安全シリンジを栓止する方法。
【請求項２０】
蓋部を有する医療用ピッグの基体部の中空中心部分にプラグを挿入し；該注射針鞘を後退位置から、注射針が保護される伸張位置（該注射針鞘の端部は開口している）へ摺動させ；該注射針鞘を有する安全シリンジを該医療用ピッグの基体部の中空中心部分に挿入し；プラグを伸張位置にある該注射針鞘の開口端部と嵌合させること：を含んでなる、安全シリンジを封止する方法。
【請求項２１】
該注射針鞘を後退位置から伸張位置へ摺動させたのち、該注射針鞘が伸張位置にあるとき、管形状を有する該注射針鞘をロックして後退位置へ戻れないように阻止することをさらに含んでなる、請求項２０に記載の方法。
【請求項２２】
該注射針鞘のロックが、該注射針鞘を安全シリンジのバレルの周りで回転させることをさらに含んでなる、請求項２１に記載の方法。
【請求項２３】
該医療用ピッグの基体部の中空中心部分への該注射針鞘を有する安全シリンジの挿入が、該医療用ピッグの基体部と蓋部とを一緒に封止して該安全シリンジを該医療用ピッグ内に含有させることをさらに含んでなる、請求項２２に記載の方法。
【請求項２４】
蓋部を有する医療用ピッグの基体部の中空中心部分にプラグを挿入し、注射針鞘を後退位置から、注射針が保護される伸張位置（該注射針鞘の端部は開口している）へ摺動させ；該注射針鞘を有する該安全シリンジを該医療用ピッグの基体部の中空中心部分に挿入し；そしてプラグを伸張位置にある該注射針鞘の外側円周部分と嵌合させること：を含んでなる、安全シリンジを封止する方法。
【請求項２５】
該注射針鞘を後退位置から伸張位置へ摺動させたのち、管形状を有する該注射針鞘が伸張位置にあるとき、該注射針鞘をロックして該管状注射針鞘が後退位置へ戻れないように阻止することをさらに含んでなる、請求項２４に記載の方法。
【請求項２６】
該注射針鞘のロックが、該注射針鞘を安全シリンジのバレルの周りで回転させることをさらに含んでなる、請求項２５に記載の方法。
【請求項２７】
該医療用ピッグの基体部の中空中心部分への該注射針鞘を有する安全シリンジの挿入が、該医療用ピッグの基体部と蓋部とを一緒に封止して該安全シリンジを該医療用ピッグ内に含有させることをさらに含んでなる、請求項２６に記載の方法。
【請求項２８】
注射針鞘を、注射針が露出する後退位置から、注射針が保護される伸張位置（該注射針鞘の端部は開口している）へ摺動させ；該注射針鞘が伸張位置にあるとき、プラグを該注射針鞘の開口端部と嵌合させ；そして、該注射針鞘を有する該安全シリンジを該医療用ピッグの基体部の中空中心部分に挿入すること：を含んでなる、安全シリンジを封止する方法。
【請求項２９】
該注射針鞘を後退位置から伸張位置へ摺動させたのち、管形状を有する該注射針鞘が伸張位置にあるとき、該注射針鞘をロックして該注射針鞘が後退位置へ戻れないように阻止することをさらに含んでなる、請求項２８に記載の方法。
【請求項３０】
該注射針鞘のロックが、該注射針鞘を安全シリンジのバレルの周りで回転させることをさらに含んでなる、請求項２９に記載の方法。
【請求項３１】
該医療用ピッグの基体部の中空中心部分への該注射針鞘を有する安全シリンジの挿入が、該安全シリンジを該医療用ピッグ内に含有させるために、該医療用ピッグの基体部と蓋部とを一体に封止することをさらに含んでなる、請求項３０に記載の方法。
【手続補正２】
【補正対象書類名】明細書
【補正対象項目名】０００３
【補正方法】変更
【補正の内容】
【０００３】
伸張可能な鞘デザインを有する安全シリンジは、1991年2月19日付けでRanford に与えられた米国特許No. 4994045（ここに参照して本明細書の一部とする）; 1991年3月12日付けでRanford に与えられた米国特許No. 4998924（ここに参照して本明細書の一部とする）; 1988年5月10日付けでSchneiderに与えられた米国特許No. 4743233（ここに参照して本明細書の一部とする）; 1995年4月4日付けでTalonnらに与えられた米国特許No. 5403287（ここに参照して本明細書の一部とする）; 1992年11月17日付けでSunderlandに与えられた米国特許No. 5163916（ここに参照して本明細書の一部とする）; 1991年1月1日付けでTalonnらに与えられた米国意匠特許No. 313470（ここに参照して本明細書の一部とする）;および1994年2月15日付けでTalonnらに与えられた米国意匠特許No. 344355（ここに参照して本明細書の一部とする）にも開示されている。